(57)【要約】【課題】通信トラヒックが集中している無線通信システムの負荷を軽減させ、負荷を分散すること。【解決手段】セル半径が違うＡ無線通信システム、Ｂ無線通信システム、及びＣ無線通信システムから構成されるマルチ無線通信システムにおいて、システム切替制御局装置は、規定時間内に移動通信端末のハンドオーバが発生しない場合、セル半径のより小さい無線通信システムへ、通信トラヒックの増加により移動通信端末が接続している無線通信システムの処理負荷が高くなった場合、通信トラヒックの少ない無線通信システムへ、移動通信端末のハンドオーバが連続して発生する場合、セル半径のより大きい無線通信システムへ、移動通信端末の接続先を切替る。【選択図】図１
2007104496.tif 000002
【特許請求の範囲】
【請求項１】
第１エリアを管理する第１通信システムと、前記第１エリアを含む第２エリアを管理する第２通信システムと、前記第１エリア及び第２エリアを含む第３エリアを管理する第３通信システムとを有するマルチ無線通信システムにおいて使用されるシステム切替制御局装置であって、
前記第１通信システムの負荷状況と、前記第２通信システムとの負荷状況と、前記第３通信システムの負荷状況と、を測定する測定手段と、
前記測定手段の測定結果に基づき、前記マルチ無線通信システムの負荷分散を行う負荷分散手段と、
を具備するシステム切替制御局装置。
【請求項２】
前記測定手段は、
前記第１通信システム、前記第２通信システム、または前記第３通信システムと通信を行う移動通信端末のハンドオーバの発生状況、前記第１通信システムの通信トラヒック、前記第２通信システムの通信トラヒック、及び前記第３通信システムの通信トラヒックを測定し、
前記負荷分散手段は、
前記測定手段の測定結果に基づき、前記移動通信端末の接続先通信システムを切替える、
請求項１記載のシステム切替制御局装置。
【請求項３】
前記測定手段が、
前記第２通信システムに、所定時間内にハンドオーバが発生しない前記移動通信端末が存在し、通信トラヒックが所定値以下である前記第１通信システムが存在すると測定した場合、
前記負荷分散手段は、
前記移動通信端末の接続先を、前記第２通信システムから前記第１通信システムに切替える、
請求項２記載のシステム切替制御局装置。
【請求項４】
前記測定手段が、
前記第３通信システムに、所定時間内にハンドオーバが発生しない前記移動通信端末が存在し、通信トラヒックが所定値以下である前記第２通信システムまたは前記第１通信システムが存在すると測定した場合、
前記負荷分散手段は、
前記移動通信端末の接続先を、前記第３通信システムから前記第２通信システムまたは前記第１通信システムに切替える、
請求項２記載のシステム切替制御局装置。
【請求項５】
前記測定手段が、
前記第３通信システムに、所定時間内にハンドオーバが発生しない前記移動通信端末が存在し、通信トラヒックが所定値以下である前記第２通信システム及び前記第１通信システムが存在しないと測定した場合、
前記負荷分散手段は、
前記移動通信端末の接続先を維持する、
請求項２記載のシステム切替制御局装置。
【請求項６】
前記測定手段が、
通信トラヒックが所定値以上である前記第２通信システムが存在し、なお、通信トラヒックが所定値以下である第１通信システムが存在すると測定した場合、
前記負荷分散手段は、
前記移動通信端末の接続先を、前記第２通信システムから前記第１通信システムに切替える、
請求項２記載のシステム切替制御局装置。
【請求項７】
前記測定手段が、
通信トラヒックが所定値以上である前記第２通信システムが存在し、なお、通信トラヒックが所定値以下である第３通信システムが存在すると測定した場合、
前記負荷分散手段は、
前記移動通信端末の接続先を、前記第２通信システムから前記第３通信システムに切替える、
請求項２記載のシステム切替制御局装置。
【請求項８】
前記測定手段が、
通信トラヒックが所定値以上である前記第１通信システムが存在し、なお、通信トラヒックが所定値以下である第２通信システムが存在すると測定した場合、
前記負荷分散手段は、
前記移動通信端末の接続先を、前記第１通信システムから前記第２通信システムに切替える、
請求項２記載のシステム切替制御局装置。
【請求項９】
前記測定手段が、
通信トラヒックが所定値以上である前記第３通信システムが存在し、なお、通信トラヒックが所定値以下である第２通信システムまたは前記第１通信システムが存在すると測定した場合、
前記負荷分散手段は、
前記移動通信端末の接続先を、前記第３通信システムから前記第２通信システムまたは前記第１通信システムに切替える、
請求項２記載のシステム切替制御局装置。
【請求項１０】
前記測定手段が、
前記第１通信システムに、所定時間内のハンドオーバの回数が所定回数を超える前記移動通信端末が存在し、通信トラヒックが所定値以下である前記第２通信システムまたは前記第３通信システムが存在すると測定した場合、
前記負荷分散手段は、
前記移動通信端末の接続先を、前記第１通信システムから前記第２通信システムまたは前記第３通信システムに切替える、
請求項２記載のシステム切替制御局装置。
【請求項１１】
前記測定手段が、
前記第１通信システムに、所定時間内のハンドオーバの回数が所定回数を超える前記移動通信端末が存在し、通信トラヒックが所定値以下である前記第２通信システム及び前記第３通信システムが存在しないと測定した場合、
前記負荷分散手段は、
前記移動通信端末の接続先を維持する、
請求項２記載のシステム切替制御局装置。
【請求項１２】
前記測定手段が、
前記第２通信システムに、所定時間内のハンドオーバの回数が所定回数を超える前記移動通信端末が存在し、通信トラヒックが所定値以下である前記第３通信システムが存在すると測定した場合、
前記負荷分散手段は、
前記移動通信端末の接続先を、前記第２通信システムから前記第３通信システムに切替える、
請求項２記載のシステム切替制御局装置。
【請求項１３】
前記測定手段が、
前記第２通信システムに、所定時間内のハンドオーバの回数が所定回数を超える前記移動通信端末が存在し、通信トラヒックが所定値以下である前記第３通信システムが存在しないと測定した場合、
前記負荷分散手段は、
前記移動通信端末の接続先を維持する、
請求項２記載のシステム切替制御局装置。
【請求項１４】
前記測定手段の処理と前記負荷分散手段の処理とを統合した統合インタフェースを具備する、
ことを特徴とする請求項１乃至請求項１３の何れか１項に記載のシステム切替制御局装置。
【請求項１５】
第１エリアを管理する第１通信システムと、前記第１エリアを含む第２エリアを管理する第２通信システムと、前記第１エリア及び第２エリアを含む第３エリアを管理する第３通信システムとを有するマルチ無線通信システムにおいて、
前記第１通信システムの負荷状況と、前記第２通信システムの負荷状況と、前記第３通信システムの負荷状況と、を測定する測定ステップと、
前記測定ステップの測定結果に基づき、前記マルチ無線通信システムの負荷分散を行う負荷分散ステップと、
を具備するシステム切替方法。
【発明の詳細な説明】
【技術分野】
【０００１】
本発明は、マルチ無線通信システムにおけるシステム切替制御局装置及びシステム切替方法に関する。
【背景技術】
【０００２】
近年の無線通信システム、特にセルラ移動通信システムにおいては、電子メール、映像、音声など多様かつ大量のデータを伝送する場合が増加しつつ、なお、加入ユーザ数が増加しつつある。このような状況に応じて、無線通信システムは高周波数帯域を使用することで、より広帯域のマルチメディアサービスを提供し、より多くのユーザを収容することができるようになった。一方、低周波数帯域の使用は基地局のカバーエリアが大きいなどの利点がある。このため、マクロセルから構成されるマクロセル型無線通信システムと、マイクロセルから構成されるマイクロセル型無線通信システムと、ピコセルから構成されるピコセル型無線通信システムと、が独立しながらも、ネットワークを介して相互に接続され、高周波と低周波の両方の帯域資源を十分に使用するマルチ無線通信システムの利用が注目されている。いわゆるセルの階層構成で、高いアンテナを有する強力な基地局が半径数百メートル以上のマクロセルを形成し、街路レベルに設置された指向性低電力基地局は半径数百メール程度のマイクロセルを形成し、さらに、屋内の無線ＬＡＮ（Local Area Network）を設置することで半径数十メートル以下のピコセルを形成する。
【０００３】
上記のマルチ無線通信システムにおいて、負荷の分散は必要不可欠の課題である。つまり、移動通信端末の高速移動を許容しながら各無線通信システムの処理負荷を平均化することで、移動通信端末にとって最適なサービスを受けることができるマルチ無線通信システムを提供することができる。
【０００４】
従来、上記マクロセル型無線通信システムとマイクロセル型無線通信システムとから構成されるマルチ無線通信システムにおいて、マイクロセル内で移動速度が速い移動通信端末に対して、サービスを提供する通信システムをマイクロセル型通信システムから、通信トラヒックが所定値以下のマクロセル型通信システムに切替る技術が知られている（例えば、特許文献１参照）。この技術によれば、高速移動に伴ってハンドオーバが頻繁に発生することを抑えることができ、頻繁なハンドオーバにより通話が途切れてしまうことを回避することができる。さらにはシステム全体の負荷を分散することができる。
【特許文献１】特表平１１−５０９０６９号公報（第１−３頁、第３図）
【発明の開示】
【発明が解決しようとする課題】
【０００５】
しかしながら、上記の負荷分散技術では、移動通信端末の移動速度を測定する必要があるため、システムの処理負荷を増加させるという問題がある。
【０００６】
本発明は、かかる点に鑑みてなされたものであり、マルチ無線通信システムにおいて、移動通信端末の移動速度を測定せずに通信トラヒックが集中している無線通信システムの負荷を軽減し、マルチ無線通信システムの負荷を分散することができるシステム切替制御局装置及びシステム切替方法を提供することを目的とする。
【課題を解決するための手段】
【０００７】
本発明のシステム切替制御局装置は、第１エリアを管理する第１通信システムと、前記第１エリアを含む第２エリアを管理する第２通信システムと、前記第１エリア及び第２エリアを含む第３エリアを管理する第３通信システムとを有するマルチ無線通信システムにおいて使用されるシステム切替制御局装置であって、前記第１通信システムの負荷状況と、前記第２通信システムとの負荷状況と、前記第３通信システムの負荷状況と、を測定する測定手段と、前記測定手段の測定結果に基づき、前記マルチ無線通信システムの負荷分散を行う負荷分散手段と、を具備する構成を採る。
【発明の効果】
【０００８】
本発明によれば、移動通信端末の移動速度を測定せずに、各無線通信システム間の負荷を分散して平均化することができ、マルチ無線通信システム全体の負荷を軽減することができる。
【発明を実施するための最良の形態】
【０００９】
以下、本発明の実施の形態について、添付図面を参照して詳細に説明する。
【００１０】
（実施の形態１）
図１は、本発明の実施の形態１に係るマルチ無線通信システム１００の主要な構成を示すブロック図である。
【００１１】
マルチ無線通信システム１００は、広域の無線通信システムであるＡシステムネットワーク１０６、中域の無線通信システムであるＢシステムネットワーク１０７、及び狭域の無線通信システムであるＣシステムネットワーク１０８という３つの無線通信システムから構成され、各無線通信システムはシステム間ネットワーク１０２を介して相互に接続されている。また、Ｃシステムネットワーク１０８の管理エリア（セル）は、Ｂシステムネットワーク１０７の管理エリアに含まれ、さらに、Ｂシステムネットワーク１０７の管理エリアは、Ａシステムネットワーク１０６の管理エリアに含まれる関係にある。
【００１２】
切替制御局１０１は、システム間ネットワーク１０２に接続され、移動通信端末１０９へサービスを提供するシステムを切替るための制御を行う。
【００１３】
Ａシステム統括局１０３は、Ａシステムネットワーク１０６を統括し、システム間ネットワーク１０２を介して切替制御局１０１と接続する。
【００１４】
Ｂシステム統括局１０４は、Ｂシステムネットワーク１０７を統括し、システム間ネットワーク１０２を介して切替制御局１０１と接続する。
【００１５】
Ｃシステム統括局１０５は、Ｃシステムネットワーク１０８を統括し、システム間ネットワーク１０２を介して切替制御局１０１と接続する。
【００１６】
移動通信端末１０９は、Ａシステムネットワーク１０６、Ｂシステムネットワーク１０７及びＣシステムネットワーク１０８の何れとも接続して通信を行うことができる。
【００１７】
図２は、本実施の形態に係る切替制御局１０１の構成を示すブロック図である。
【００１８】
システム間ネットワーク通信処理部２０１は、システム間ネットワーク１０２に接続し、各システム統括局１０３〜１０５と通信を行う。
【００１９】
制御部２０２は、システム管理部２０３と切替制御部２０４とからなる。システム管理部２０３は、システム間ネットワーク通信処理部２０１を介して各システム統括局１０３〜１０５に情報取得要求メッセージを送る。システム管理部２０３はまたシステム間ネットワーク通信処理部２０１を介して、各システム統括局１０３〜１０５からシステムネットワーク１０６〜１０８各々の通信トラヒック、前回の情報取得以降の移動通信端末のハンドオーバ回数などの情報を含む情報取得応答メッセージを受け取る。切替制御部２０４は、移動通信端末１０９へサービスを提供するシステムを切替るための制御を行う。つまり、切替制御部２０４は、システム管理部２０３が取得した各システムの負荷情報に基づき、移動通信端末１０９へサービスを提供するシステムを切り替える場合の切替先を決定する。この決定の手順は後で詳述する。切替制御部２０４は、切替先を含むシステム切替指示メッセージをシステム間ネットワーク通信処理部２０１を介して移動通信端末１０９に送る。
【００２０】
図３は、本実施の形態に係るＡシステム統括局１０３の構成を示すブロック図である。
【００２１】
Ａシステム通信処理部３０１は、Ａシステムネットワーク１０６と通信を行う。
【００２２】
Ａシステム管理部３０２は、システム間ネットワーク通信処理部３０５を介して切替制御局１０１からの情報取得要求メッセージを受信すると、移動通信端末１０９のハンドオーバ発生回数と、Ａシステムネットワーク１０６の負荷状態とを含む情報取得応答メッセージを作成する。Ａシステム切替制御部３０３は、Ａシステム通信処理部３０１を介して移動通信端末１０９に対し、接続するシステムを切替させる制御を行う。制御部３０４は、Ａシステム管理部３０２とＡシステム切替制御部３０３とからなる。
【００２３】
システム間ネットワーク通信処理部３０５は、Ａシステム管理部３０２において生成される情報取得応答メッセージを、システム間ネットワーク１０２を介して切替制御局１０１のシステム間ネットワーク通信処理部２０１に送る。
【００２４】
図４は、本実施の形態に係るＢシステム統括局１０４の構成を示すブロック図である。
【００２５】
Ｂシステム統括局１０４は、Ｂシステム通信処理部４０１、Ｂシステム管理部４０２、Ｂシステム切替制御部４０３、及びシステム間ネットワーク通信処理部４０５から構成される。そのうちのＢシステム管理部４０２とＢシステム切替制御部４０３とは制御部４０４を構成する。Ｂシステム統括局１０４は、基本的にＡシステム統括局１０３と同様な構成を採り、同様な処理を行うため、ここでは詳細な説明を省略する。
【００２６】
図５は、本実施の形態に係るＣシステム統括局１０５の構成を示すブロック図である。
【００２７】
Ｃシステム統括局１０５は、Ｃシステム通信処理部５０１、Ｃシステム管理部５０２、Ｃシステム切替制御部５０３、及びシステム間ネットワーク通信処理部５０５から構成される。そのうちのＣシステム管理部５０２とＢシステム切替制御部５０３とは制御部５０４を構成する。Ｃシステム統括局１０５は、Ａシステム統括局１０３またはＢシステム統括局と同様な構成を採り、同様な処理を行うため、ここでは詳細な説明を省略する。
【００２８】
図６は、本実施の形態に係る移動通信端末１０９の構成を示すブロック図である。
【００２９】
Ａシステム通信処理部６０１は、Ａシステムネットワーク１０６と通信を行う。Ｂシステム通信処理部６０２は、Ｂシステムネットワーク１０７と通信を行う。Ｃシステム通信処理部６０３は、Ｃシステムネットワーク１０８と通信を行う。
【００３０】
制御部６０４は、移動通信端末１０９のＡシステム通信処理部６０１、Ｂシステム通信処理部６０２、Ｃシステム通信処理部６０３、表示部６０６、入力部６０７、ＲＯＭ（Read Only Memory）６０８及びＲＡＭ（Random Access Memory）６０９を制御する。
【００３１】
通信処理制御部６０５は、制御部６０４に含まれ、Ａシステム通信処理部６０１、Ｂシステム通信処理部６０２、及びＣシステム通信処理部６０３のいずれかを介して切替制御局１０１からの切替指示メッセージを受信する。移動通信端末１０９は切替指示メッセージを受信すると、現在接続中の通信システムから、メッセージに記載された切替先となる通信システムへ接続切替を実施する。例えば、現在Ａ通信システムのＡシステムネットワーク１０６に接続中であり、切替指示メッセージを受信することによりＢ通信システムのＢシステムネットワーク１０７への切り替えを指示された場合、通信処理制御部６０５はＢシステム通信処理部６０２をＢシステムネットワーク１０７に接続させ、接続が完了した後、Ａシステム通信処理部６０１の接続をＡシステムネットワーク１０６から切断する。
【００３２】
表示部６０６は、移動通信端末１０９の通話中、或いは、メール着信などの情報を表示する。入力部６０７を用いて、ユーザは電話番号、メール本文などの情報を入力する。ＲＯＭ６０８は、移動通信端末１０９を機能させるために常時実行されるソフトウェアを格納する。ＲＡＭ６０９は、移動通信端末１０９が機能するために、必要に応じて読み込むデータを保持する。
【００３３】
図７は、マルチ無線通信システム１００におけるシステム切替の手順を示すフロー図である。図７に示すシステム切替処理は、図２に示した切替制御局１０１で行われる。
【００３４】
ステップ（ＳＴ）７０１において、システム管理部２０３は、ユーザが移動通信端末１０９の電源をＯＮにして、Ａ無線通信システム、Ｂ無線通信システムまたはＣ無線通信システムのいずれかのシステムへ登録要求を行ったか否かを判定する。
【００３５】
ＳＴ７０１において、登録要求がないと判定した場合（ＳＴ７０１：ＮＯ）、所定の時間間隔を空けて、ＳＴ７０１における上記の判定を繰り返す。
【００３６】
ＳＴ７０１において、登録要求があると判定した場合（ＳＴ７０１：ＹＥＳ）、ＳＴ７０２においてシステム管理部２０３は、無線通信システムと通信を行う移動通信端末１０９の移動状況を監視するためのタイマＴ１をスタートし、ハンドオーバの回数をカウントするためのカウンタＨＯを０に初期化する。
【００３７】
ＳＴ７０３において、システム管理部２０３は、タイマＴ１がタイムアウトしているか否かを判定する。
【００３８】
ＳＴ７０３において、タイムアウトしていないと判断した場合（ＳＴ７０３：ＮＯ）、ＳＴ７０５において、システム管理部２０３はシステム間ネットワーク通信処理部２０１を介して移動通信端末１０９が接続している無線通信システムの負荷情報を取得し、負荷が大きいか否かを判定する。
【００３９】
ＳＴ７０５において、移動通信端末１０９が接続している無線通信システムの負荷が高いと判断した場合（ＳＴ７０５：ＹＥＳ）、ＳＴ７１５において、切替制御局１０１は負荷状態判定処理を行い、ＳＴ７０３へ戻る。ＳＴ７１５における負荷状態判定処理の詳細については後述する。
【００４０】
ＳＴ７０５において、移動通信端末１０９が接続している無線通信システムの負荷が高くないと判断した場合（ＳＴ７０５：ＮＯ）、ＳＴ７１６において、切替制御局１０１はハンドオーバ回数判定処理を行い、ＳＴ７０３へ戻る。ＳＴ７１６におけるハンドオーバ回数判定処理の詳細については後述する。
【００４１】
ＳＴ７０３において、タイムアウトしていると判断した場合（ＳＴ７０３：ＹＥＳ）、システム管理部２０３はＳＴ７０４において、移動通信端末１０９が接続している無線通信システムがＡ無線通信システムであるか否かを判定する。
【００４２】
ＳＴ７０４において、移動通信端末１０９が接続している無線通信システムがＡ無線通信システムであると判断した場合（ＳＴ７０４：ＹＥＳ）、ＳＴ７０６において、システム管理部２０３はシステム間ネットワーク通信処理部２０１を介してＢ無線通信システムの負荷状態を確認し、Ｂ無線通信システムへの切替が可能であるか否かを判定する。
【００４３】
ＳＴ７０６において、Ｂ無線通信システムへの切替が可能であると判断した場合（ＳＴ７０６：ＹＥＳ）、ＳＴ７０７において、切替制御部２０４はシステム間ネットワーク通信処理部２０１を介して、Ｂ無線通信システムを切替先とする切替指示メッセージを移動通信端末１０９に送る。
【００４４】
ＳＴ７０６において、Ｂ無線通信システムへの切替が可能でないと判断した場合（ＳＴ７０６：ＮＯ）、システム管理部２０３はＳＴ７０８において、システム間ネットワーク通信処理部２０１を介してＣ無線通信システムの負荷状態を確認し、Ｃ無線通信システムへの切替が可能であるか否かを判定する。
【００４５】
ＳＴ７０８において、Ｃ無線通信システムへの切替が可能であると判断した場合（ＳＴ７０８：ＹＥＳ）、切替制御部２０４はＳＴ７０９において、システム間ネットワーク通信処理部２０１を介してＣ無線通信システムを切替先とする切替指示メッセージを移動通信端末１０９に送る。
【００４６】
ＳＴ７０８において、Ｃ無線通信システムへの切替が可能でないと判断した場合（ＳＴ７０８：ＮＯ）、切替制御局１０１はＳＴ７１３以降の処理を行う。
【００４７】
ＳＴ７０４において、移動通信端末１０９が接続している無線通信システムがＡ無線通信システムでないと判断した場合（ＳＴ７０４：ＮＯ）、システム管理部２０３はＳＴ７１０において、移動通信端末１０９の接続している無線通信システムがＢ無線通信システムであるか否かを判定する。
【００４８】
ＳＴ７１０において、移動通信端末１０９の接続している無線通信システムがＢ無線通信システムでないと判断した場合（ＳＴ７１０：ＮＯ）、切替制御局１０１はＳＴ７１３以降の処理を行う。
【００４９】
ＳＴ７１０において、移動通信端末１０９の接続している無線通信システムがＢ無線通信システムであると判断した場合（ＳＴ７１０：ＹＥＳ）、システム管理部２０３はＳＴ７１１において、システム間ネットワーク通信処理部２０１を介してＣ無線通信システムの負荷状態を確認し、Ｃ無線通信システムへの切替が可能であるか否かを判定する。
【００５０】
ＳＴ７１１において、Ｃ無線通信システムへの切替が可能でないと判断した場合（ＳＴ７１１：ＮＯ）、切替制御局１０１はＳＴ７１３以降の処理を行う。
【００５１】
ＳＴ７１１において、Ｃ無線通信システムへの切替が可能であると判断した場合（ＳＴ７１１：ＹＥＳ）、切替制御部２０４はＳＴ７１２において、システム間ネットワーク通信処理部２０１を介してＣ無線通信システムを切替先とする切替指示メッセージを移動通信端末１０９に送る。
【００５２】
ＳＴ７１３において、システム管理部２０３は、移動通信端末１０９からＡ無線通信システム、Ｂ無線通信システムまたはＣ無線通信システムの何れかのシステムに対しての登録削除要求があるか否かを判定する。
【００５３】
ＳＴ７１３において、登録削除要求がないと判断した場合（ＳＴ７１３：ＮＯ）、システム管理部２０３はＳＴ７１４において、無線通信システムと通信を行う移動通信端末１０９の移動状況を監視するためのタイマＴ１を再スタートし、ハンドオーバの回数をカウントするためのカウンタＨＯを０に初期化し、ＳＴ７０３へ戻る。
【００５４】
ＳＴ７１３において、登録削除要求があると判断した場合（ＳＴ７１３：ＹＥＳ）、マルチ無線通信システム１００の切替制御局１０１におけるシステム切替処理を終了する。
【００５５】
図８は、図７に示したシステム切替処理の内、負荷状態判定処理ＳＴ７１５の詳細を説明するフロー図である。
【００５６】
ＳＴ８０１において、システム管理部２０３は無線通信システムの切替を行う移動通信端末１０９が通話中であるか否かを判定する。
【００５７】
ＳＴ８０１において、移動通信端末１０９が通話中であると判断した場合（ＳＴ８０１：ＹＥＳ）、切替制御局１０１は、負荷状態判定処理ＳＴ７１５を終了する。
【００５８】
ＳＴ８０１において、移動通信端末１０９が通話中でないと判断した場合（ＳＴ８０１：ＮＯ）、ＳＴ８０２において、システム管理部２０３は移動通信端末１０９が接続している無線通信システムがＡ無線通信システムであるか否かを判定する。
【００５９】
ＳＴ８０２において、移動通信端末１０９が接続している無線通信システムがＡ無線通信システムでないと判断した場合（ＳＴ８０２：ＮＯ）、ＳＴ８０３において、システム管理部２０３は、移動通信端末１０９が接続している無線通信システムがＢ無線通信システムであるか否かを判定する。
【００６０】
ＳＴ８０３において、移動通信端末１０９が接続している無線通信システムがＢ無線通信システムであると判断した場合（ＳＴ８０３：ＹＥＳ）、システム管理部２０３はＳＴ８０４において、システム間ネットワーク通信処理部２０１を介してＢ無線通信システムの負荷状態を確認し、移動通信端末１０９が接続しているセル以外のＢ無線通信システムのセルへの切替が可能であるか否かを判定する。
【００６１】
ＳＴ８０４において、Ｂ無線通信システムの他のセルへの切替が可能であると判断した場合（ＳＴ８０４：ＹＥＳ）、ＳＴ８０５において、切替制御部２０４はシステム間ネットワーク通信処理部２０１を介して、Ｂ無線通信システムの外のセルを切替先とする切替指示メッセージを移動通信端末１０９に送る。
【００６２】
ＳＴ８０６において、システム管理部２０３は無線通信システムと通信を行う移動通信端末１０９の移動状況を監視するためのタイマＴ１を再スタートし、ハンドオーバの回数をカウントするためのカウンタＨＯを０に初期化し、負荷状態判定処理ＳＴ７１５を終了する。
【００６３】
ＳＴ８０４において、Ｂ無線通信システムへの切替が可能でないと判断した場合（ＳＴ８０４：ＮＯ）、システム管理部２０３はＳＴ８０８において、システム間ネットワーク通信処理部２０１を介してＡ無線通信システムの負荷状態を確認し、Ａ無線通信システムへの切替が可能であるか否かを判定する。
【００６４】
ＳＴ８０８において、Ａ無線通信システムへの切替が可能でないと判断した場合（ＳＴ８０８：ＮＯ）、切替制御局１０１は負荷状態判定処理ＳＴ７１５を終了する。
【００６５】
ＳＴ８０８においてＡ無線通信システムへの切替が可能であると判断した場合（ＳＴ８０８：ＹＥＳ）、切替制御部２０４はＳＴ８０９において、システム間ネットワーク通信処理部２０１を介してＡ無線通信システムを切替先とする切替指示メッセージを移動通信端末１０９に送る。
【００６６】
ＳＴ８１０において、システム管理部２０３は無線通信システムと通信を行う移動通信端末１０９の移動状況を監視するためのタイマＴ１を再スタートし、ハンドオーバの回数をカウントするためのカウンタＨＯを０に初期化し、負荷状態判定処理ＳＴ７１５を終了する。
【００６７】
ＳＴ８０３において、移動通信端末１０９が接続している無線通信システムがＢ無線通信システムでないと判断した場合（ＳＴ８０３：ＮＯ）、システム管理部２０３はＳＴ８０７において、システム間ネットワーク通信処理部２０１を介してＣ無線通信システムの負荷状態を確認し、Ｃ無線通信システムへの切替が可能であるか否かを判定する。
【００６８】
ＳＴ８０７において、Ｃ無線通信システムへの切替が可能でないと判断した場合（ＳＴ８０７：ＮＯ）、切替制御局１０１はＳＴ８０８以降の処理を行う。
【００６９】
ＳＴ８０７において、Ｃ無線通信システムへの切替が可能であると判断した場合（ＳＴ８０７：ＹＥＳ）、切替制御部２０４はＳＴ８１３において、システム間ネットワーク通信処理部２０１を介してＣ無線通信システムを切替先とする切替指示メッセージを移動通信端末１０９に送る。
【００７０】
ＳＴ８１４において、システム管理部２０３は、無線通信システムと通信を行う移動通信端末１０９の移動状況を監視するためのタイマＴ１を再スタートし、ハンドオーバの回数をカウントするためのカウンタＨＯを０に初期化し、負荷状態判定処理ＳＴ７１５を終了する。
【００７１】
ＳＴ８０２において、移動通信端末１０９が接続している無線通信システムがＡ無線通信システムであると判断した場合（ＳＴ８０２：ＹＥＳ）、システム管理部２０３はＳＴ８１１において、システム間ネットワーク通信処理部２０１を介してＢ無線通信システムの負荷状態を確認し、Ｂ無線通信システムへの切替が可能であるか否かを判定する。
【００７２】
ＳＴ８１１において、Ｂ無線通信システムへの切替が可能であると判断した場合（ＳＴ８１１：ＹＥＳ）、切替制御部２０４はＳＴ８１５において、システム間ネットワーク通信処理部２０１を介してＢ無線通信システムを切替先とする切替指示メッセージを移動通信端末１０９に送る。
【００７３】
ＳＴ８１６において、システム管理部２０３は無線通信システムと通信を行う移動通信端末１０９の移動状況を監視するためのタイマＴ１を再スタートし、ハンドオーバの回数をカウントするためのカウンタＨＯを０に初期化し、負荷状態判定処理ＳＴ７１５を終了する。
【００７４】
ＳＴ８１１において、Ｂ無線通信システムへの切替が可能でないと判断した場合（ＳＴ８１１：ＮＯ）、システム管理部２０３はＳＴ８１２において、システム間ネットワーク通信処理部２０１を介してＣ無線通信システムの負荷状態を確認し、Ｃ無線通信システムへの切替が可能であるか否かを判定する。
【００７５】
ＳＴ８１２において、Ｃ無線通信システムへの切替が可能でないと判断した場合（ＳＴ８１２：ＮＯ）、切替制御局１０１は負荷状態判定処理ＳＴ７１５を終了する。
【００７６】
ＳＴ８１２において、Ｃ無線通信システムへの切替が可能であると判断した場合（ＳＴ８１２：ＹＥＳ）、切替制御部２０４はＳＴ８１３において、システム間ネットワーク通信処理部２０１を介してＣ無線通信システムを切替先とする切替指示メッセージを移動通信端末１０９に送る。
【００７７】
ＳＴ８１４において、システム管理部２０３は、無線通信システムと通信を行う移動通信端末１０９の移動状況を監視するためのタイマＴ１を再スタートし、ハンドオーバの回数をカウントするためのカウンタＨＯを０に初期化し、負荷状態判定処理ＳＴ７１５を終了する。
【００７８】
図９は、図７に示すマルチ無線通信システム１００におけるシステム切替処理の内、ハンドオーバ回数判定処理ＳＴ７１６の詳細を説明するフロー図である。
【００７９】
ＳＴ９０１において、システム管理部２０３は移動通信端末１０９が接続している無線通信システムにおいてハンドオーバが発生したか否かを判定する。
【００８０】
ＳＴ９０１において、ハンドオーバが発生しなかったと判断した場合（ＳＴ９０１：ＮＯ）、切替制御局１０１はハンドオーバ回数判定処理ＳＴ７１６を終了する。
【００８１】
ＳＴ９０１において、ハンドオーバが発生したと判断した場合（ＳＴ９０１：ＹＥＳ）、システム管理部２０３はＳＴ９０２において、ハンドオーバの回数をカウントするためのカウンタＨＯをインクリメントする。
【００８２】
ＳＴ９０３において、システム管理部２０３はハンドオーバの回数をカウントするためのカウンタＨＯが規定回数Ｘに到達したか否かを判定する。
【００８３】
ＳＴ９０３において、カウンタＨＯが規定回数Ｘに到達していないと判断した場合（ＳＴ９０３：ＮＯ）、切替制御局１０１はハンドオーバ回数判定処理ＳＴ７１６を終了する。
【００８４】
ＳＴ９０３において、カウンタＨＯが規定回数Ｘに到達または超えたと判断した場合（ＳＴ９０３：ＹＥＳ）、システム管理部２０３はＳＴ９０４において、移動通信端末１０９が接続している無線通信システムがＣ無線通信システムであるか否かを判定する。
【００８５】
ＳＴ９０４において、Ｃ無線通信システムに接続していると判断した場合（ＳＴ９０４：ＹＥＳ）、システム管理部２０３はＳＴ９０５において、システム間ネットワーク通信処理部２０１を介してＢ無線通信システムの負荷状態を確認し、Ｂ無線通信システムへの切替が可能であるか否かを判定する。
【００８６】
ＳＴ９０５において、Ｂ無線通信システムへの切替が可能であると判断した場合（ＳＴ９０５：ＹＥＳ）、切替制御部２０４はＳＴ９０６において、システム間ネットワーク通信処理部２０１を介してＢ無線通信システムを切替先とする切替指示メッセージを移動通信端末１０９に送る。
【００８７】
ＳＴ９０７において、システム管理部２０３は無線通信システムと通信を行う移動通信端末１０９の移動状況を監視するためのタイマＴ１を再スタートし、ハンドオーバの回数をカウントするためのカウンタＨＯを０に初期化し、ハンドオーバ回数判定処理ＳＴ７１６を終了する。
【００８８】
ＳＴ９０５において、Ｂ無線通信システムへの切替が可能でないと判断した場合（ＳＴ９０５：ＮＯ）、システム管理部２０３はＳＴ９０８において、システム間ネットワーク通信処理部２０１を介してＡ無線通信システムの負荷状態を確認し、Ａ無線通信システムへの切替が可能であるか否かを判定する。
【００８９】
ＳＴ９０８において、Ａ無線通信システムへの切替が可能でないと判断した場合（ＳＴ９０８：ＮＯ）、切替制御局１０１はハンドオーバ回数判定処理ＳＴ７１６を終了する。
【００９０】
ＳＴ９０８において、Ａ無線通信システムへの切替が可能であると判断した場合（ＳＴ９０８：ＹＥＳ）、ＳＴ９０９において、切替制御部２０４はシステム間ネットワーク通信処理部２０１を介して、移動通信端末１０９にＡ無線通信システムを切替先とする切替指示メッセージを送る。
【００９１】
ＳＴ９１０において、システム管理部２０３は無線通信システムと通信を行う移動通信端末１０９の移動状況を監視するためのタイマＴ１を再スタートし、ハンドオーバの回数をカウントするためのカウンタＨＯを０に初期化し、ハンドオーバ回数判定処理ＳＴ７１６を終了する。
【００９２】
ＳＴ９０４において、移動通信端末１０９の接続しているシステムがＣ無線通信システムではないと判断した場合（ＳＴ９０４：ＮＯ）、システム管理部２０３はＳＴ９１１において、移動通信端末１０９が接続している無線通信システムがＢ無線通信システムであるか否かを判定する。
【００９３】
ＳＴ９１１において、Ｂ無線通信システムに接続していないと判断した場合（ＳＴ９１１：ＮＯ）、切替制御局１０１はハンドオーバ回数判定処理ＳＴ７１６を終了する。
【００９４】
ＳＴ９１１において、Ｂ無線通信システムに接続していると判断した場合（ＳＴ９１１：ＹＥＳ）、システム管理部２０３はＳＴ９１２において、システム間ネットワーク通信処理部２０１を介してＢ無線通信システムの負荷状態を確認し、移動通信端末１０９が接続しているセル以外のＢ無線通信システムのセルへの切替が可能であるか否かを判定する。
【００９５】
ＳＴ９１２において、Ｂ無線通信システムへの切替が可能でないと判断した場合（ＳＴ９１２：ＮＯ）、切替制御局１０１はハンドオーバ回数判定処理ＳＴ７１６を終了する。
【００９６】
ＳＴ９１２において、Ｂ無線通信システムへの切替が可能であると判断した場合（ＳＴ９１２：ＹＥＳ）、切替制御部２０４はＳＴ９１３において、システム間ネットワーク通信処理部２０１を介してＢ無線通信システムを切替先とする切替指示メッセージを移動通信端末１０９に送る。
【００９７】
ＳＴ９１４において、システム管理部２０３は無線通信システムと通信を行う移動通信端末１０９の移動状況を監視するためのタイマＴ１を再スタートし、ハンドオーバの回数をカウントするためのカウンタＨＯを０に初期化し、ハンドオーバ回数判定処理ＳＴ７１６を終了する。
【００９８】
このように、本実施の形態によれば、移動通信端末のハンドオーバの発生状況、無線通信システムの負荷状態に基づき、移動通信端末に対しサービスを提供する無線通信システムを切替ることができるため、マルチ無線通信システムの負荷分散を実現することができる。例えば、規定時間内にハンドオーバが発生しない移動通信端末は無線通信システムを高速で移動していないと推測されるため、移動通信端末の接続先をよりセル半径の小さい無線通信システムへ切替させることで、セル半径の大きい無線通信システムの負荷を軽減させることができる。よって、セル半径の大きいシステムは、高速移動を行うより多くの移動通信端末と通信を行うことができる。また、通信トラヒックの増加により無線通信システムの処理負荷が高くなった場合、通信トラヒックの少ない無線通信システムへ移動通信端末を切替ることで、無線通信システム側の処理負荷を分散して平均化することができる。また、ハンドオーバが連続して発生する移動通信端末が無線通信システムに存在する場合、よりハンドオーバが少なくなる無線通信システムへ移動通信端末の接続先を切替ることにより、無線通信システム側の処理負荷を軽減させることができる。
【００９９】
なお、本実施の形態において、切替制御局１０１が移動通信端末１０９のハンドオーバ状況と各無線通信システムの負荷状態に関する情報を取得するタイミングとして、図７〜図９の手順に従って、上記情報を参照する必要が生じた時点にしている。つまり、必要が生じた時点で、切替制御局１０１は各システム統括局１０３〜１０５に情報取得要求メッセージを送って、各システム統括局１０３〜１０５は情報取得応答メッセージを返しているが、上記情報の取得を定期的に行っても良い。切替制御局１０１は定期的に受信した情報取得応答メッセージに含まれている情報データをシステム管理部２０３の中の記憶領域に保存する。
【０１００】
また、切替制御局１０１が情報取得要求メッセージを送らず、各システム統括局１０３〜１０５が定期的に上記の情報取得応答メッセージと同等のデータ内容を含む状態通知メッセージを、自発的に切替制御局１０１に送信しても良い。切替制御局１０１のシステム管理部２０３はこの状態通知メッセージ受信し、状態通知メッセージに含まれている情報データを用いて、記憶領域に保存されている情報データを更新する。
【０１０１】
また、各システム統括局１０３〜１０５が切替制御局１０１に自発的に状態通知メッセージを送信するタイミングとして、各無線通信システムの負荷状況の変化具合が所定の閾値を超えた場合だけにしても良い。これにより、メッセージの送信回数を削減して、システムの負荷を軽減することができる。
【０１０２】
また、本実施の形態において、切替制御局１０１は各システム統括局１０３〜１０５から各無線通信システムの負荷状態、移動通信端末１０９のハンドオーバ状況などの情報を取得するが、情報の入手先として、移動通信端末１０９から上記の情報を取得しても良い。また、情報取得の方法として、切替制御局１０１が要求を出して、移動通信端末が応答する方法でも良いし、移動通信端末が自発的に切替制御局に情報通知メッセージを送信する方法でも良い。また、上記の情報取得は定期的に行われても良いし、負荷状況の変化具合が所定の閾値を超えた場合だけに行われても良い。これによって、移動通信端末１０９から各無線通信システムの負荷情報を取得すれば、個別に各システム統括局に問い合わせる場合に比べて、少ない通信回数で必要とする情報を取得することができる。
【０１０３】
また、本実施の形態において、切替制御局１０１は、移動通信端末１０９が接続している通信システム内で行ったハンドオーバの回数を各システム統括局１０３〜１０５または移動通信端末１０９から取得するが、切替制御局１０１は、ハンドオーバが発生する度にその旨を通知され、ハンドオーバの回数をカウントしても良い。
【０１０４】
また、本実施の形態において、切替制御局１０１は、移動通信端末１０９にシステム切替指示メッセージを送信するが、接続指示メッセージと切断指示メッセージとを前後２回に分けて送信しても良い。つまり、切替制御局１０１は、先に新規接続先となる通信システムへの接続を指示する接続指示メッセージを移動通信端末１０９に送信し、接続が完了したことを確認した後にこれまで接続していた通信システムからの切断を指示する切断指示メッセージを移動通信端末１０９に送信する。これにより、移動通信端末１０９が異なるシステム間を切替する機能を有していない場合でも、効果的な切替を実施することができる。
【０１０５】
また、本実施の形態では、マルチ無線通信システム１００が３つの無線通信システムで構成される場合を例にとって説明したが、これに限定されるものではなく、マルチ無線通信システム１００が４個以上の無線通信システムから構成されていても良い。
【０１０６】
（実施の形態２）
本実施の形態に係るマルチ無線通信システム１００、各システム統括局１０３〜１０５、及び移動通信端末１０９の構成及び動作は、実施の形態１に係るそれぞれと基本的に同様であるため、ここでは、実施の形態１の説明に用いた図面を再度用いて本実施の形態を説明する。
【０１０７】
本実施の形態は、切替制御局１０１から送信される情報取得要求メッセージを受信する装置は移動通信端末１０９ではなく、各システム統括局１０３〜１０５の何れかであるという点で、実施の形態１と相違する。
【０１０８】
次に、切替制御局１０１が図７〜図９の処理によって、移動通信端末１０９の接続先をＣ通信システムからＡ通信システムに切替えることを決定し、Ａシステム統括局１０３に接続指示メッセージを、Ｃシステム統括局１０５に切断指示メッセージを送信して、システム切替を実施する場合を例にとって説明する。
【０１０９】
切替制御局１０１は図７〜図９のの手順に従って、移動通信端末１０９の接続先をＣ通信システムからＡ通信システムに切替えることを決定すると、移動通信端末１０９をＡシステムネットワーク１０６に接続するように、Ａシステム統括局１０３に接続指示メッセージを送信する。Ａシステム統括局１０３は、システム間ネットワーク通信処理部３０５を介して接続指示メッセージを受信すると、移動通信端末１０９に対して接続処理を開始させる。そして、移動通信端末１０９のＡシステム通信処理部６０１はＡシステム統括局１０３から送られる接続制御に従って、Ａシステムネットワーク１０６に接続する。
【０１１０】
移動通信端末１０９とＡ通信システムとの接続が正常に完了すると、Ａシステム統括局１０３は切替制御局１０１に接続完了メッセージを送信する。接続完了メッセージを受信すると、切替制御局１０１は移動通信端末１０９をＣシステムネットワーク１０８から切断するように、Ｃシステム統括局１０５に切断指示メッセージを送信する。Ｃシステム統括局１０５は、システム間ネットワーク通信処理部５０５を介して切断指示メッセージを受信すると、移動通信端末１０９に対して切断処理を開始する。そして、移動通信端末１０９のＣシステム通信処理部６０３はＣシステム統括局１０５から送られる切断制御に従って、Ｃシステムネットワーク１０８から切断される。
【０１１１】
このように、本実施の形態によれば、切替制御局１０１は接続指示メッセージと切断指示メッセージからなる切替指示メッセージを各システム統括局１０３〜１０５に送信することにより、移動通信端末１０９と切替制御局１０１との間の直接な通信量を軽減することができる。従って、例えば移動通信端末１０９が無線ＬＡＮリンクを介して切替制御局１０１と通信する際の、バッテリ消費量を抑えることができる。
【０１１２】
また、切替制御局１０１は移動通信端末１０９を新規接続先となる通信システムへ正常に接続させた後に、これまで接続していた通信システムから移動通信端末１０９の接続を切断させることができる。従って、移動通信端末１０９が通信中であってもパケットロスやセッションが切れることなく移動通信端末１０９の接続先を切替させることができる。
【０１１３】
なお、切替制御局１０１は各通信システムの状況に応じて、切替指示メッセージを各システム統括局１０３〜１０５に送信するか移動通信端末１０９に送信するかを選択しても良い。切替制御局１０１は各システム統括局１０３〜１０５から各無線通信システムの負荷状況に関する情報を取得する時に、各システム統括局１０３〜１０５の切替関連メッセージ（接続指示メッセージ、接続完了メッセージ、切断指示メッセージ、切替指示メッセージ等）への対応状況に関する情報を併せて取得する。例えば、移動通信端末１０９の接続先をＣ通信システムからＡ通信システムに切替させる場合、Ｃシステム統括局１０５が切替関連メッセージを処理できない（すなわち、対応していない）とすると、制御局１０１は、接続指示メッセージをＡシステム統括局に、切断指示メッセージを移動通信端末に送信して、システムの切替を行うことができる。
【０１１４】
（実施の形態３）
図１０は本実施の形態に係るマルチ無線通信システム１０００の構成を示すブロック図である。マルチ無線通信システム１０００の構成及び動作は、実施の形態１または実施の形態２に係るマルチ無線通信システム１００と基本的に同様であるため、同じ構成要素には同じ符号を付し、その説明を省略する。本実施の形態は、切替制御局１００１、Ａシステム統括局１００３、Ｂシステム統括局１００４、Ｃシステム統括局１００５、及び移動通信端末１００９がそれぞれ接続管理部をさらに有する点で、実施の形態１または実施の形態２と相違する。
【０１１５】
図１１は本実施の形態に係る切替制御局１００１の構成を示すブロック図である。切替制御局１００１は接続管理部１１０５をさらに有する点で実施の形態１または実施の形態２に係る切替制御局１０１と相違する。
【０１１６】
接続管理部１１０５は、システム管理部２０３から情報取得要求コマンドを受け取ると、情報取得要求メッセージを作成し、システム間ネットワーク通信部２０１を介して各通信システムに送信する。そして、接続管理部１１０５はシステム間ネットワーク通信部２０１を介して各通信システムから情報取得応答メッセージを受信すると、情報取得応答メッセージに含まれている情報を情報取得応答コマンドのパラメータに載せて、システム管理部２０３に送る。
【０１１７】
また、接続管理部１１０５は、切替制御部２０４から切替指示コマンドを受け取ると、切替指示メッセージを作成し、システム間ネットワーク通信部２０１を介して各通信システムに送信する。
【０１１８】
図１２は本実施の形態に係るＡシステム統括局１００３の構成を示すブロック図である。Ａシステム統括局１００３は接続管理部１２０６をさらに有する点で実施の形態１または実施の形態２に係るＡシステム統括局１０３と相違する。
【０１１９】
接続管理部１２０６は、システム間ネットワーク通信部３０５を介して情報取得要求メッセージを受信すると、情報取得要求メッセージに含まれる情報を情報取得要求コマンドのパラメータに載せてＡシステム管理部３０２に送る。そして、Ａシステム管理部３０２から受け取る情報取得応答コマンドに含まれる情報データに基づき、情報取得応答メッセージを作成し、システム間ネットワーク通信部３０５を介して切替制御局１００１に送信する。
【０１２０】
また、接続管理部１２０６はシステム間ネットワーク通信部３０５を介して受信した切替指示メッセージに基づき、切替指示コマンドを作成してＡシステム切替制御部３０３に送る。
【０１２１】
図１３は、本実施の形態に係るＢシステム統括局１００４の構成を示すブロック図である。Ｂシステム統括局１００４は、接続管理部１３０６をさらに有する点で実施の形態１または実施の形態２に係るＢシステム統括局１０４と相違する。
【０１２２】
Ｂシステム統括局１００４は、Ａシステム統括局１００３と同様な構成を採り、同様な処理を行うため、ここでは詳細な説明を省略する。
【０１２３】
図１４は、本実施の形態に係るＣシステム統括局１００５の構成を示すブロック図である。Ｃシステム統括局１００５は、接続管理部１４０６をさらに有する点で実施の形態１または実施の形態２に係るＢシステム統括局１０５と相違する。
【０１２４】
Ｃシステム統括局１００５は、Ａシステム統括局１００３と同様な構成を採り、同様な処理を行うため、ここでは詳細な説明を省略する。
【０１２５】
図１５は、本実施の形態に移動通信端末１００９の構成を示すブロック図である。移動通信端末１００９は接続管理部１５１０をさらに有する点で、実施の形態１または実施の形態２に係る移動通信端末１０９と相違する。
【０１２６】
接続管理部１５１０は、システム通信処理部６０１〜６０３の何れかを介して切替制御局１００１から情報取得要求メッセージを受信する場合、コマンドによって通信処理制御部６０５に通知する。通知を受けた通信処理制御部６０５は、接続している通信システムの負荷情報を取得するために情報取得要求メッセージを作成し、接続中の通信システムのシステム統括局に送信するようにコマンドを用いて接続管理部１５１０に通知する。接続管理部１５１０は、情報取得要求メッセージを作成して、接続している通信システムに送信し、情報取得応答メッセージを受信することにより負荷情報を取得して、通信処理制御部６０５に転送する。通信処理制御部６０５は、先に切替制御局１００１から受信した情報取得要求メッセージに応答するために、上記転送された結果（あるいは、事前に取得しておいた情報）にもとづいて、情報取得応答メッセージを作成して切替制御局１００１に送信するようにコマンドを用いて接続管理部１５１０に通知する。接続管理部１５１０は、情報取得応答メッセージを作成して、システム通信処理部を介して切替制御局１００１に送る。
【０１２７】
また、接続管理部１５１０は、システム通信処理部６０１〜６０３の内、接続している何れかを介して切替指示メッセージを受信する場合、その旨をコマンドによって通信処理制御部６０５に通知する。
【０１２８】
このように、本実施の形態によれば、切替制御局１００１、各システム統括局１００３〜１００５、移動通信端末１００９などの各装置に、情報取得メッセージ及び切替指示メッセージに対する処理を行う統合された統合インタフェースとして接続管理部１１０５、１２０６、１３０６、１４０６、１５１０を搭載することにより、切替制御局１００１は個々の通信システムに対して制御を行う必要がないため、処理負荷を低減することができる。また、この構成を採ることにより、通信システムを新規に追加することが簡単になり、システムの拡張性を向上させることができる。
【０１２９】
なお、接続管理部を有する装置と接続管理部を有しない装置とが混在する場合は、接続管理部を搭載している装置においては接続管理部によって統合された統合インタフェースを用いて、接続管理部を搭載していない装置においては各通信システム専用の専用インタフェースを用いて、情報取得メッセージと切替指示メッセージに対する処理を行えば良い。この場合、切替制御局１００１の起動時や、管理者の指示したタイミングで、各装置に接続管理部搭載確認メッセージを送って、戻ってくる接続管理部搭載応答メッセージにより、各装置の接続管理部搭載状況を取得する。
【０１３０】
また、本実施の形態において、切替制御局１００１は、移動通信端末１００９にシステム切替指示メッセージを送信するが、接続指示メッセージと切断指示メッセージとを前後２回に分けて送信しても良い。つまり、切替制御局１００１は、先に新規接続先となる通信システムへの接続を指示する接続指示メッセージを移動通信端末１００９に送信し、接続が完了したことを確認した後にこれまで接続していた通信システムからの切断を指示する切断指示メッセージを移動通信端末１００９に送信し、いずれのメッセージも接続管理部１５１０において処理される。これにより、移動通信端末１００９が異なるシステム間を切替する機能を有していない場合でも、効果的な切替を実施することができる。なお、移動通信端末１００９においては、接続指示メッセージの受信を通知するための接続指示コマンドを接続管理部１５１０が通信処理制御部６０５に発行して、通信処理制御部６０５に対して接続に関する指示を仰いだり、同様に切断指示メッセージの受信を通知するための切断指示コマンドを発行して、通信処理制御部６０５に対して切断に関する指示を仰いだりすることができる。これにより、個々の移動通信端末１００９に設定され、通信処理制御部６０５が管理する切替ポリシに基づいた切替を行うことができ、システムの汎用性を確保するとともに、信頼性の高い切替処理を実現することができる。
【０１３１】
以上、本発明の各実施の形態について説明した。
【０１３２】
本発明に係るマルチ無線通信システムにおけるシステム切替方法は、上記各実施の形態に限定されず、種々変更して実施することが可能である。例えば、各実施の形態は、適宜組み合わせて実施することが可能である。
【０１３３】
なお、ここでは、本発明をハードウェアで構成する場合を例にとって説明したが、本発明をソフトウェアで実現することも可能である。例えば、本発明に係るマルチ無線通信システムにおけるシステム切替方法のアルゴリズムをプログラミング言語によって記述し、このプログラムをメモリに記憶しておいて情報処理手段によって実行させることにより、同様の機能を実現することができる。
【産業上の利用可能性】
【０１３４】
本発明に係るマルチ無線通信システムにおけるシステム切替方法は、システムの切替等の用途に適用することができる。
【図面の簡単な説明】
【０１３５】
【図１】本発明の実施の形態１に係るマルチ無線通信システムの構成を示すブロック図
【図２】本発明の実施の形態１に係る切替制御局の構成を示すブロック図
【図３】本発明の実施の形態１に係るＡシステム統括局の構成を示すブロック図
【図４】本発明の実施の形態１に係るＢシステム統括局の構成を示すブロック図
【図５】本発明の実施の形態１に係るＣシステム統括局の構成を示すブロック図
【図６】本発明の実施の形態１に係る移動通信端末の構成を示すブロック図
【図７】本発明の実施の形態１に係るマルチ無線通信システムにおけるシステム切替の手順を示すフロー図
【図８】本発明の実施の形態１に係る負荷状態判定処理を示すフロー図
【図９】本発明の実施の形態１に係るハンドオーバ回数判定処理を示すフロー図
【図１０】本発明の実施の形態３に係るマルチ無線通信システムの構成を示すブロック図
【図１１】本発明の実施の形態３に係る切替制御局の構成を示すブロック図
【図１２】本発明の実施の形態３に係るＡシステム統括局の構成を示すブロック図
【図１３】本発明の実施の形態３に係るＢシステム統括局の構成を示すブロック図
【図１４】本発明の実施の形態３に係るＣシステム統括局の構成を示すブロック図
【図１５】本発明の実施の形態３に係る移動通信端末の構成を示すブロック図
【符号の説明】
【０１３６】
１００  マルチ無線通信システム
１０１  切替制御局
１０２  システム間ネットワーク
１０３  Ａシステム統括局
１０４  Ｂシステム統括局
１０５  Ｃシステム統括局
１０６  Ａシステムネットワーク
１０７  Ｂシステムネットワーク
１０８  Ｃシステムネットワーク
１０９  移動通信端末
【図１】
2007104496.tif 000003
【図２】
2007104496.tif 000004
【図３】
2007104496.tif 000005
【図４】
2007104496.tif 000006
【図５】
2007104496.tif 000007
【図６】
2007104496.tif 000008
【図７】
2007104496.tif 000009
【図８】
2007104496.tif 000010
【図９】
2007104496.tif 000011
【図１０】
2007104496.tif 000012
【図１１】
2007104496.tif 000013
【図１２】
2007104496.tif 000014
【図１３】
2007104496.tif 000015
【図１４】
2007104496.tif 000016
【図１５】
2007104496.tif 000017